(57)【要約】【課題】市販の傘を手軽に個性化することができる傘の柄カバーを提供する。【解決手段】傘の柄カバー１０のカバー本体１２は、装着される傘の柄１の形状に対応してＪ字形の袋状に形成される。カバー本体１２には、縁部に沿ってフリル１６が取り付けられるとともに、先端部にヌイグルミ人形１４が取り付けられる。この傘の柄カバー１０を市販の傘の柄１に装着することにより、市販の傘を簡単に個性化できる。【選択図】　　　図１
0003097313.tif 000002
【実用新案登録請求の範囲】
【請求項１】
傘の柄の部分を被覆する傘の柄カバーであって、
前記傘の柄部分の形状に対応した形の袋状に形成され、その表面に装飾が施された布製のカバー本体と、
前記カバー本体の開口部の縁に沿って形成された環状の中空部と、
前記カバー本体の開口部に形成され、前記中空部に連通される紐通し孔と、
前記紐通し孔を介して前記中空部に通された縛り紐と、
からなることを特徴とする傘の柄カバー。
【請求項２】
前記カバー本体の表面に施す装飾として、前記カバー本体の表面に模様柄を付けたことを特徴とする請求項１に記載の傘の柄カバー。
【請求項３】
前記カバー本体の表面に施す装飾として、前記カバー本体の先端にヌイグルミ人形を取り付けたことを特徴とする請求項１又は２に記載の傘の柄カバー。
【請求項４】
前記縛り紐の両端に前記紐通し孔の径より大きいボンボリを取り付けたことを特徴とする請求項１、２又は３に記載の傘の柄カバー。
【考案の詳細な説明】
【０００１】
【考案の属する技術分野】
本考案は傘の柄カバーに係り、特に傘の柄の部分を被覆する傘の柄カバーに関する。
【０００２】
【従来の技術】一般に市販の傘の柄の部分は、握りやすさ等を考慮して、ほとんどの場合がＪ字形状に形成されている。
【０００３】
このため、従来の傘は、柄の部分の材質や色を変えたり、模様を付けたりすることで個性化を図っていた。
【０００４】
【考案が解決しようとする課題】
しかしながら、従来のように、傘の柄の部分の材質や色を変えたりすることで個性化を図るには限度があり、たくさんの人が集まる場所などでは自分の傘と他人の傘との区別がつきにくかった。
【０００５】
また、傘ごとに柄の部分の色や材質を変えて製造すると、コストが高くなるという欠点がある。
【０００６】
本考案は、このような事情に鑑みてなされたもので、市販の傘を手軽に個性化することができる傘の柄カバーを提供することを目的とする。
【０００７】
【課題を解決するための手段】
請求項１に係る考案は、前記目的を達成するために、傘の柄の部分を被覆する傘の柄カバーであって、前記傘の柄部分の形状に対応した形の袋状に形成され、その表面に装飾が施された布製のカバー本体と、前記カバー本体の開口部の縁に沿って形成された環状の中空部と、前記カバー本体の開口部に形成され、前記中空部に連通される紐通し孔と、前記紐通し孔を介して前記中空部に通された縛り紐と、からなることを特徴とする傘の柄カバーを提供する。
【０００８】
本考案によれば、袋状に形成されたカバー本体を市販の傘の柄の部分に被せ、縛り紐を縛るだけで簡単に傘の柄に装着することができる。カバー本体には装飾が施されているため、簡単に市販の傘を個性的なものにすることができ、また、自分の傘を容易に区別することができる。
【０００９】
請求項２に係る考案は、前記目的を達成するために、前記カバー本体の表面に施す装飾として、前記カバー本体の表面に模様柄を付けたことを特徴とする請求項１に記載の傘の柄カバーを提供する。
【００１０】
本考案によれば、カバー本体の装飾として、カバー本体の表面に豹柄やゼブラ柄、水玉柄などの模様柄が付けられる。これにより、装飾効果が高まり、傘をより個性的なものにすることができるとともに、自分の傘をより明確に区別することができるようになる。
【００１１】
請求項３に係る考案は、前記目的を達成するために、前記カバー本体の表面に施す装飾として、前記カバー本体の先端にヌイグルミ人形を取り付けたことを特徴とする請求項１又は２に記載の傘の柄カバーを提供する。
【００１２】
本考案によれば、カバー本体の装飾として、カバー本体の先端にヌイグルミ人形が取り付けられる。これにより、装飾効果がより高まり、傘をより個性的なものにすることができるとともに、自分の傘をより明確に区別することができるようになる。
【００１３】
請求項４に係る考案は、前記目的を達成するために、前記縛り紐の両端に前記紐通し孔の径より大きいボンボリを取り付けたことを特徴とする請求項１、２又は３に記載の傘の柄カバーを提供する。
【００１４】
本考案によれば、縛り紐の両端にボンボリを取り付けることにより、より装飾効果が高まるとともに、縛り紐の抜けを防止することができる。
【００１５】
【考案の実施の形態】
以下、添付図面に従って本考案に係る傘の柄カバーの好ましい実施の形態について詳説する。
【００１６】
図１は本考案に係る傘の柄カバーの一実施形態の構成を示す正面図である。この傘の柄カバー１０は、Ｊ字状に形成された傘の柄１の部分を覆うカバーであり、図１に示すように、傘の柄１の形状に対応してＪ字形の袋状に形成されたカバー本体１２と、そのカバー本体１２の先端部に取り付けられたヌイグルミ人形１４とで構成されている。
【００１７】
カバー本体１２は、Ｊ字形状に裁断された２枚の布１２Ａを重ね合わせ、その周縁部を縫い合わせることによって、袋状に形成されている。このカバー本体１２の周縁部には、フリル１６が縫い付けられており、カバー本体１２の装飾効果が高められている。
【００１８】
フリル１４は、カバー本体１２を縫合する際、カバー本体１２を構成する２枚の布１２Ａと共に縫い合わされる。すなわち、カバー本体１２を構成する２枚の布１２Ａの間に周縁部に沿って挟み込み、２枚の布１２Ａと共にミシン等で縫い合わされて、カバー本体１２に一体的に取り付けられる。
【００１９】
また、このカバー本体１２の開口部は、図２及び図３に示すように、いわゆる巾着状に形成されており、縛り紐１８によって閉じ窄めることができるようにされている。すなわち、カバー本体１２の開口部には、周縁に沿って環状の中空部２０が形成されており、この中空部２０に通された縛り紐１８を縛ることによって、閉じ窄めることができるようになっている。
【００２０】
ここで、このカバー本体１２の開口部に形成された中空部２０は、カバー本体１２の開口部の先端を所定量内側に折り込み、その折り込んだ部分をカバー本体１２の周面に沿ってミシン等で縫い合わせることにより形成される。
【００２１】
また、この中空部２０が形成されたカバー本体１２の開口部には、中空部２０を裁断するようにして、周方向と直交する方向に切り込み２２が形成されており、この切り込み２２によって中空部２０に連通する紐通し孔２４が形成される。縛り紐１８は、この紐通し孔２４を介して中空部２０に通される。
【００２２】
なお、縛り紐１８の両端には、ボンボリ２６が取り付けられる。このボンボリ２６は、紐通し孔２４の径よりも大きな径で形成され、縛り紐１８の先端が紐通し孔２４を通って、中空部２０の内側に入り込まないようにされている。
【００２３】
ヌイグルミ人形１４は、ネコの頭部を模して形成されており、カバー本体１２の先端部に一体的に縫い付けられている。また、このヌイグルミ人形１４の首の部分（ヌイグルミ人形１４とカバー本体１２との接合部分）には、リボン２８が縫い付けられており、装飾効果が高められている。
【００２４】
以上のように構成された本実施の形態の傘の柄カバー１０の使用方法は次のとおりである。
【００２５】
図４は、傘の柄カバー１０の装着手順を示す説明図である。同図に示すように、傘の柄カバー１０は、傘の柄１の部分に靴下を履かせるようにして、傘の柄１に装着される。
【００２６】
すなわち、まず、図４（ａ）に示すように、巾着状に形成されたカバー本体１２の開口部を広げ、その内側に傘の柄１の先端部分を挿入する）。次に、図４（ｂ）に示すように、傘の柄１に沿ってカバー本体１２を引き上げる。そして、図４（ｃ）に示すように、傘の柄１の部分全体がカバー本体１２に覆われたところで、縛り紐１８を引き、柄１が取り付けられた傘の中棒２に縛り付ける。縛り紐１８を縛ると、巾着状に形成されたカバー本体１２の開口部が、傘の柄１の上端部の径よりも窄まり、これにより、カバー本体１２の抜けが防止される。
【００２７】
図５は、柄１の部分に傘の柄カバー１０が装着された、傘３の全体図である。同図に示すように、通常、単色のプラスチック又は木材によって形成される柄１の部分に本実施の形態の傘の柄カバー１０を装着することにより、傘を個性的なものとすることができる。これにより、人が多く集まる場所などで傘立てに傘を置いた場合であっても、一目で自分の傘の見分けがつき、容易に自分の傘を探すことができる。
【００２８】
また、プラスチックや木材で形成される柄１の部分を本実施の形態の傘の柄カバー１０で覆うことにより、手触りがよくなり、グリップ感が向上する。
【００２９】
さらに、一般に流通する市販の傘に簡単に装着することができるので、傘の柄自体の色や形を変えて製造する場合に比べて、極めて安価に個性的な傘を提供することができる。
【００３０】
また、装飾の異なる複数の傘の柄カバーを揃えておくことにより、傘を買い換えなくても、傘の柄カバーを変えるだけで手軽にデザインの変化を楽しむことができる。
【００３１】
なお、カバー本体１２を構成する布１２Ａの素材については、特に限定されないが、手触りがよく、傘の柄に容易に装着できるものが好ましく、洗濯可能なものであれば更に好ましい。たとえば、フリース等のパイル織物などを用いることができる。
【００３２】
また、本実施の形態では、傘の柄がＪ字状に形成されている場合を例に説明したが、Ｌ字形に形成された柄の場合は、カバー本体をＬ字形状に形成する。同様に直線の棒状に形成された柄の場合は、カバー本体を直線状に形成する。
【００３３】
また、カバー本体１２のサイズは、使用する傘の柄１のサイズに併せて適宜変更することが好ましい。
【００３４】
さらに、本実施の形態では、カバー本体１２にフリル１６を取り付けるとともに、カバー本体１２の先端部にヌイグルミ人形１４を取り付けることにより、カバー本体１２を装飾しているが、カバー本体１２の装飾は、これに限定されるものではない。
【００３５】
たとえば、図６〜図８に示すように、フリル１６やヌイグルミ人形１４の代わりにカバー本体１２にアニマル柄や迷彩柄、水玉柄、チェック柄などの模様柄を施して、カバー本体を装飾するようにしてもよい。なお、図６は、カバー本体１２に豹柄を施した傘の柄カバー１０を示しており、図７は、カバー本体１２にゼブラ柄を施した傘の柄カバー１０を示している。また、図８は、カバー本体１２に迷彩柄を施した傘の柄カバー１０を示している。
【００３６】
また、装飾としてカバー本体１２に取り付けるヌイグルミ人形１４は、本実施の形態のものに限定されるものではなく、デザインに応じて適宜変更することができる。たとえば、動物のほか、マンガやアニメのキャラクタのヌイグルミ人形を取り付けることができる。
【００３７】
【考案の効果】
以上説明したように、本考案によれば、傘の柄の部分に装着することにより、市販の傘を簡単に装飾することができ、個性的な傘にすることができる。また、これにより、自分の傘を簡単に識別できるようになる。
【図面の簡単な説明】
【図１】本考案に係る傘の柄カバーの一実施形態を示す正面図
【図２】カバー本体の開口部の構成を示す斜視図
【図３】カバー本体の開口部の構成を示す斜視図
【図４】傘の柄カバーの装着手順の説明図
【図５】傘の柄カバーが装着された傘の全体図
【図６】傘の柄カバーの他の実施の形態を示す正面図
【図７】傘の柄カバーの他の実施の形態を示す正面図
【図８】傘の柄カバーの他の実施の形態を示す正面図
【符号の説明】
１…柄、２…中棒、３…傘、１０…傘の柄カバー、１２…カバー本体、１２Ａ…布、１４…ヌイグルミ人形、１６…フリル、１８…縛り紐、２０…中空部、２２…切り込み、２４…紐通し孔、２６…ボンボリ、２８…リボン
【図１】
0003097313.tif 000003
【図２】
0003097313.tif 000004
【図３】
0003097313.tif 000005
【図４】
0003097313.tif 000006
【図５】
0003097313.tif 000007
【図６】
0003097313.tif 000008
【図７】
0003097313.tif 000009
【図８】
0003097313.tif 000010